(57)【要約】【課題】すすぎ性が良好で、環境性や安全性に優れ、かつ、洗浄性が良好で液安定性に優れた液晶パネル用水系洗浄剤組成物の提供。【解決手段】本発明の液晶パネル用水系洗浄剤組成物は、α-オレフィン系炭化水素（Ａ成分）と、ジアルキルスルホコハク酸塩（Ｂ成分）と、直鎖型及び分岐型アルキルベンゼンスルホン酸塩から選択される少なくとも１種のアニオン界面活性剤（Ｃ成分）と、ジメチルスルホキシド(Ｄ成分）と、式１で表される短鎖グリコールエーテル（Ｅ成分）と、水（Ｆ成分）とを含む液晶パネル用水系洗浄剤組成物であって、前記液晶パネル用水系洗浄剤組成物における、前記Ａ成分が２０質量％〜４０質量％であり、前記Ｂ成分が１０質量％〜３０質量％であり、前記Ｃ成分が１質量％〜５質量％であり、前記Ｄ成分が５質量％〜２０質量％であり、前記Ｅ成分が１０質量％〜３０質量％であり、前記Ｆ成分が１０質量％〜３０質量％であることを特徴とする。【選択図】なし【特許請求の範囲】
【請求項１】
α-オレフィン系炭化水素（Ａ成分）と、ジアルキルスルホコハク酸塩（Ｂ成分）と、直鎖型及び分岐型アルキルベンゼンスルホン酸塩から選択される少なくとも１種のアニオン界面活性剤（Ｃ成分）と、ジメチルスルホキシド(Ｄ成分）と、下記式１で表される短鎖グリコールエーテル（Ｅ成分）と、水（Ｆ成分）とを含む液晶パネル用水系洗浄剤組成物であって、
前記液晶パネル用水系洗浄剤組成物における、前記Ａ成分が２０質量％〜４０質量％であり、前記Ｂ成分が１０質量％〜３０質量％であり、前記Ｃ成分が１質量％〜５質量％であり、前記Ｄ成分が５質量％〜２０質量％であり、前記Ｅ成分が１０質量％〜３０質量％であり、前記Ｆ成分が１０質量％〜３０質量％であることを特徴とする液晶パネル用水系洗浄剤組成物。
【化１】
2010059328.tif 000006
（式１において、Ｒは、炭素数４〜８の炭化水素、ＡＯは、オキシエチレン、オキシプロピレン、及びこれらの混合物のいずれか、ｎは、１〜４の整数を示す。）
【請求項２】
ギャップ幅が３μｍであるＳＴＮ液晶パネルの洗浄に用いられる請求項１に記載の液晶パネル用水系洗浄剤組成物。
【発明の詳細な説明】
【技術分野】
【０００１】
本発明は、ギャップ幅の狭い液晶パネルの洗浄に用いられる液晶パネル用水系洗浄剤組成物に関する。
【背景技術】
【０００２】
液晶パネルは、消費電力が少ないという利点を有する上、近年、高コントラスト化等の技術改良が進んだ結果、多様な画像表示が可能となり、コンピュータ端末表示部、テレビのディスプレイ、携帯電話等の小型パネルなどの幅広い分野に用いられ、その重要性が増している。
【０００３】
この液晶パネルは、１０μｍ以下の所定間隔離して対向・保持させた２枚のガラス基板の周囲を、内部に中空部が形成されるように接着剤で貼り合わせた後、該中空部内に液晶を封入して製造される。
この場合、前記２枚のガラス基板内部には、透明導電膜で構成された文字、画像表示用電極が設けられ、この電極に制御用電気信号を印加することで、文字、画像が表示される構成となっている。
【０００４】
前記液晶パネルを製造する際、２枚のガラス基板の接着部の外側にミクロンオーダーの空隙部が生じることは避けられない。このため、前記２枚のガラス基板で形成された前記中空部に液晶材料を注入する際、毛細管現象により、空隙部にも液晶材料が侵入してしまう。
しかし、この空隙部には透明電極に電気信号を印加するための電極端子が各々絶縁性を保って高密度に形成されていることから、前記空隙部に侵入した液晶材料をそのまま放置しておくと、この液晶材料が大気中の汚染物質を溶解し、その結果、絶縁不良を起こす場合がある。このため、前記空隙部に侵入した液晶材料を洗浄、除去する必要がある。
【０００５】
例えば、図１は、このような液晶パネル１の状態を示すものであり、液晶パネル１は、対向する２枚のガラス板２Ａ、２Ｂを備えている。該液晶パネル１は、シール部４の外側に生じる空隙部３Ａとシール部４の内側の表示部５とを有し、空隙部３Ａは、該液晶パネル１の長手方向に延在される。
該対向する２枚のガラス板２Ａ、２Ｂ間に形成される中空部３Ｂには、表示部５側から液晶材料が浸漬、注入されるが、この際、空隙部３Ａの厚み方向の幅であるギャップ幅Ｗが狭小であるため、毛細管現象によって空隙部３Ａ側にも液晶材料が侵入する。
この空隙部３Ａに詰まった余分な液晶材料は、該液晶パネル１の外側部３Ｃに配設される電極（不図示）に接触すると、電蝕（コロージョン）により通電不良を生じさせるため、洗浄、除去することが重要となる。
【０００６】
このような液晶パネル１を洗浄する液晶パネル用洗浄剤としては、溶剤系(炭化水素、アルコール等、例えば、特許文献１参照)、準水系洗浄剤及び水系洗浄剤が知られている。
しかしながら、前記溶剤系のものは、引火性、揮発性などを有するため、環境性や人体への安全性に問題がある。そのため、法的規制の対象となっており、使用における管理が煩雑であるという問題がある。
また、準水系洗浄剤は、引火性を回避した組成であるものの、溶剤が連続相となるＷ／Ｏエマルションの組成であるため、すすぎ性に難があるという問題がある。
他方、水系洗浄剤は、水が連続相となるＯ／Ｗエマルションであるため、すすぎ性がよく、環境性や安全性にも優れる（例えば、特許文献２、３参照）。
【０００７】
ところで、液晶パネル１における前記空隙部３Ａの間隔が非常に狭いと、従来の洗浄剤では侵入した液晶材料を完全に除去することが困難であるため、洗浄に用いる洗浄剤には、より高度な洗浄能力が必要とされる。特に、近年では、液晶パネルの薄型化により、前記ギャップ幅Ｗが３μｍ程度と極めて狭くなり、また、前記空隙部３Ａの長手方向の間隔も狭いことから、従来の水系洗浄剤の組成では、洗浄性が不十分となってきた。
とりわけ、前記ギャップ幅Ｗが狭小なＳＴＮ（Ｓｕｐｅｒ−ｔｗｉｓｔｅｄ  ｎｅｍａｔｉｃ  ｄｉｓｐｌａｙ）系液晶やＴＦＴ（Ｔｈｉｎ  Ｆｉｌｍ  Ｔｒａｎｓｉｓｔｏｒ）系液晶などに対する洗浄性の向上が要望されるようになってきた。
しかしながら、十分な洗浄性を有する水系洗浄剤は、未だ提供されていないという問題がある。
また、洗浄剤組成物は、液晶パネルの様々な製造環境下にあっても安定に使用できるものでなければならない。
【０００８】
【特許文献１】特開２００５−１７７６９４号公報
【特許文献２】特開２００４−２６９１号公報
【特許文献３】特開平９−１５７６９１号公報
【発明の開示】
【発明が解決しようとする課題】
【０００９】
本発明は、前記従来における諸問題を解決し、以下の目的を達成することを課題とする。即ち、本発明は、すすぎ性が良好で、環境性や安全性に優れ、かつ、洗浄性が良好で液安定性に優れた液晶パネル用水系洗浄剤組成物を提供することを目的とする。
【課題を解決するための手段】
【００１０】
前記課題を解決するための手段は、以下の通りである。即ち、
＜１＞  α-オレフィン系炭化水素（Ａ成分）と、ジアルキルスルホコハク酸塩（Ｂ成分）と、直鎖型及び分岐型アルキルベンゼンスルホン酸塩から選択される少なくとも１種のアニオン界面活性剤（Ｃ成分）と、ジメチルスルホキシド(Ｄ成分）と、下記式１で表される短鎖グリコールエーテル（Ｅ成分）と、水（Ｆ成分）とを含む液晶パネル用水系洗浄剤組成物であって、前記液晶パネル用水系洗浄剤組成物における、前記Ａ成分が２０質量％〜４０質量％であり、前記Ｂ成分が１０質量％〜３０質量％であり、前記Ｃ成分が１質量％〜５質量％であり、前記Ｄ成分が５質量％〜２０質量％であり、前記Ｅ成分が１０質量％〜３０質量％であり、前記Ｆ成分が１０質量％〜３０質量％であることを特徴とする液晶パネル用水系洗浄剤組成物である。
＜２＞  ギャップ幅が３μｍであるＳＴＮ液晶パネルの洗浄に用いられる前記＜１＞に記載の液晶パネル用水系洗浄剤組成物である。
【化２】
2010059328.tif 000002
（式１において、Ｒは、炭素数４〜８の炭化水素、ＡＯは、オキシエチレン、オキシプロピレン、及びこれらの混合物のいずれか、ｎは、１〜４の整数を示す。）
【発明の効果】
【００１１】
本発明によれば、前記従来における諸問題を解決し、前記目的を達成することができ、本発明は、すすぎ性が良好で、環境性や安全性に優れ、かつ、洗浄性が良好で液安定性に優れた液晶パネル用水系洗浄剤組成物を提供することができる。
【発明を実施するための最良の形態】
【００１２】
（液晶パネル用洗浄剤組成物）
本発明の液晶パネル用洗浄剤組成物は、α−オレフィン系炭化水素（Ａ成分）と、ジアルキルスルホコハク酸塩（Ｂ成分）と、アニオン界面活性剤（Ｃ成分）と、ジメチルスルホキシド（Ｄ成分）と、短鎖グリコールエーテル（Ｅ成分）と、水（Ｆ成分）とを含み、必要に応じて、他の成分を含む。
【００１３】
−α−オレフィン系炭化水素（Ａ成分）−
前記α−オレフィン系炭化水素は、α位に二重結合を有するアルケンであり、液晶材料を溶解させる。
このようなα−オレフィン系炭化水素としては、特に制限はなく、目的に応じて適宜選択することができ、例えば、ｎ−デセン、ｎ−ドデセン、ｎ−テトラデセンなどが挙げられる。
前記α−オレフィン系炭化水素の炭素数としては、１０〜１５であることが好ましい。前記α−オレフィン系炭化水素の炭素数が１０に満たないと、引火しやすく、１５を超えると、液晶の溶解度が低下し、洗浄性が低下する。
中でも、前記α−オレフィン系炭化水素の炭素数が１２〜１４であることが好ましい。前記α−オレフィン系炭化水素の炭素数が１２〜１４であると、比較的高い沸点を有するため引火しにくく、可溶化力に優れる。
なお、これらは、１種単独で用いてもよく、炭素数が異なる２種以上の混合物を用いてもよい。
前記α−オレフィン系炭化水素の炭素数が１２〜１４であるものの具体的な商品としては、商品名リニアレン１２（炭素数１２のα−オレフィン系炭化水素、出光興産製）、商品名リニアレン１２４（炭素数１２及び１４のα−オレフィン系炭化水素の混合物出光興産製）が挙げられる。
【００１４】
前記α−オレフィン系炭化水素（Ａ成分）の前記液晶パネル用水系洗浄剤組成物における含有量としては、２０質量％〜４０質量％であり、２５質量％〜３５質量％が好ましく、３０質量％がより好ましい。
前記含有量が２０質量％に満たないと、液晶の溶解度の低下により洗浄性が低下し、４０質量％を超えると、液安定性が低下する。
【００１５】
−ジアルキルスルホコハク酸塩（Ｂ成分）−
ジアルキルスルホコハク酸塩は、液晶の洗浄性及びリンス性と、液晶パネル用水系洗浄剤組成物の液安定化のための可溶化剤として用いられる。
前記ジアルキルスルホコハク酸塩としては、特に制限はなく、目的に応じて適宜選択することができ、例えば、ジアルキルスルホコハク酸のナトリウム塩及びアンモニウム塩が挙げられるが、中でも、ジアルキルスルホコハク酸のアンモニウム塩が好ましい。
前記ジアルキルスルホコハク酸のアンモニウム塩を用いると、金属イオンを含有しないため、電蝕不良のリスクを小さく抑えることができる。
中でも、安価で入手しやすいジオクチルスルホコハク酸アンモニウム塩をより好ましく用いることができる。
前記ジオクチルスルホコハク酸アンモニウム塩の具体的な商品としては、商品名リカサーフＧ−６００（新日本理化製）が挙げられる。
【００１６】
前記ジアルキルスルホコハク酸塩（Ｂ成分）おける含有量としては、１０質量％〜３０質量％であり、１０質量％〜２０質量％が好ましく、１０質量％〜１５質量％がより好ましい。
前記含有量が１０質量％に満たないと、液安定性と洗浄性が低下し、３０質量％を超えると、前記液晶パネル用水系洗浄剤組成物が増粘し、液性が悪くなるおそれがある。
【００１７】
−アニオン界面活性剤（Ｃ成分）−
前記アニオン界面活性剤は、直鎖型及び分岐型アルキルベンゼンスルホン酸塩から選択される少なくとも１種のアニオン界面活性剤（以下、「アニオン界面活性剤」という）である。前記アニオン界面活性剤は、狭ギャップパネルの洗浄性と液安定性を向上させる。
前記アニオン界面活性剤としては、特に制限はなく、目的に応じて適宜選択することができ、例えば、アルキルベンゼンスルホン酸塩が挙げられる。
前記アルキルベンゼンスルホン酸塩としては、アルキルベンゼンスルホン酸のナトリウム塩及びジエターノールアミン塩が挙げられるが、中でも、アルキルベンゼンスルホン酸のジエタノールアミン塩が好ましい。
前記アルキルベンゼンスルホン酸塩のジエタノールアミン塩を用いると、金属イオンを含有しないため、電蝕不良のリスクを小さく抑えることができる。
【００１８】
また、前記アルキルベンゼンスルホン酸塩の構造としては、分岐型であっても、直鎖型であってもよく、中でも、分岐型アルキルベンゼンスルホン酸のジエタノールアミン塩（以下、分岐型ＡＢＳ−ＤＥＡ塩と略記する）が好ましく、直鎖型アルキルベンゼンスルホン酸のジエタノールアミン塩（以下、直鎖型ＡＢＳ−ＤＥＡ塩と略記する）がより好ましい。
分岐型アルキルベンゼンスルホン酸塩を用いると、生分解性が低いため、廃棄コストが嵩むことがある。
前記直鎖型アルキルベンゼンスルホン酸塩の具体的な商品としては、商品名ライポンＬＨ−２００（ライオン製）を挙げることができる。
また、前記分岐型アルキルベンゼンスルホン酸塩の具体的な商品としては、商品名ライポンＬＨ−９００（ライオン製）が挙げられる。
【００１９】
前記アニオン界面活性剤（Ｃ成分）の前記液晶パネル用水系洗浄剤組成物における含有量としては、１質量％〜５質量％であり、１質量％〜２質量％が好ましく、２質量％がより好ましい。
前記含有量が１質量％に満たないと、狭ギャップパネルの洗浄性が低下する傾向になり、また、液安定性も低下する。５質量％を超えると、他の成分が減量し、洗浄性の低下に繋がる。
また、前記含有量が、１質量％〜２質量％であると、液安定化の効果が大きくなる。
【００２０】
−ジメチルスルホキシド（Ｄ成分）−
前記ジメチルスルホキシドは、液晶を拡散させ、洗浄性を向上させる。
前記ジメチルスルホキシドの具体的な商品としては、商品名ＤＭＳＯ(東レ・ファインケミカル製)が挙げられる。
【００２１】
前記ジメチルスルホキシド(Ｄ成分)の前記液晶パネル用水系洗浄剤組成物における含有量としては、５質量％〜２０質量％であり、１０質量％〜２０質量％が好ましく、１０質量％がより好ましい。
前記含有量が５質量％に満たないと、洗浄性が低下し、２０質量％を超えると、液安定性が悪くなる。
【００２２】
−短鎖グリコールエーテル（Ｅ成分）−
前記短鎖グリコールエーテルは、短鎖アルキル（アルケニル)−一価アルコールのアルキレンオキシド付加体であり、下記式１で表される短鎖グリコールエーテル（以下、「短鎖グリコールエーテル」という）である。前記短鎖グリコールエーテルは、各成分を可溶化させる。
【００２３】
【化３】
2010059328.tif 000003
式１において、Ｒは、炭素数４〜８の炭化水素、ＡＯは、オキシエチレン、オキシプロピレン、及びこれらの混合物のいずれか、ｎは、１〜４の整数を示す。
【００２４】
前記短鎖グリコールエーテルとしては、特に制限はなく、目的に応じて適宜選択することができ、例えば、ジエチレングリコールｎ−ブチルエーテル、トリエチレングリコールｎ−ブチルエーテル、トリプロピレングリコールｎ−ブチルエーテル、エチレングリコールｎ−ヘキシルエーテル、ジエチレングリコールｎ−ヘキシルエーテル（ヘキシルジグリコール）、エチレングリコールｎ−２−エチル−ヘキシルエーテル、ジエチレングリコールｎ−２−エチル−ヘキシルエーテル（２−エチル−ヘキシルジグリコール）が挙げられる。
中でも、液安定性の効果が大きいヘキシルジグリコール、２−エチル−ヘキシルジグリコールが好ましい。
前記ヘキシルジグリコールと、前記２−エチル−ヘキシルジグリコールとの具体的な商品としては、日本乳化剤製のものを用いることができる。
【００２５】
前記短鎖グリコールエーテル（Ｅ成分）の前記液晶パネル用水系洗浄剤組成物における含有量としては、１０質量％〜３０質量％である。
前記含有量が１０質量％に満たないと、液安定性が低下し、３０質量％を超えると、他の成分が減量し、洗浄性の低下に繋がるおそれがある。
【００２６】
−水（Ｆ成分）−
前記水としては、特に制限はなく、目的に応じて適宜選択することができ、例えば、精製水（蒸留水、イオン交換水）を用いることができる。
中でも、安価に入手することができるイオン交換水を好ましく用いることができる。  
【００２７】
前記水（Ｆ成分）の前記液晶パネル用水系洗浄剤組成物における含有量としては、１０質量％〜３０質量％であり、１０質量％〜２０質量％が好ましい。
前記含有量が、１０質量％に満たないと、危険物となるおそれがあり、３０質量％を超えると、他の成分が減量し、洗浄性が低下するおそれがある。
【００２８】
−その他の成分−
前記液晶パネル用水系洗浄剤組成物には、本発明の効果を損なわない範囲で、任意成分として、他の成分を配合することができる。
前記他の成分としては、特に制限はなく、目的に応じて適宜選択することができ、例えば、ｐＨ調整剤、ハイドロトロープ、防腐剤、及び防錆剤などを挙げることができる。これらのｐＨ調整剤、防腐剤、防錆剤は、液安定性を損なわない程度に配合することができる。
【００２９】
前記ｐＨ調整剤としては、特に制限はなく、目的に応じて適宜選択することができ、例えば、安息香酸ＤＥＡ（ジエタノールアミン）塩を用いることができる。
前記ハイドロトロープは、洗浄剤組成物の粘性をコントロールする作用を有する。
前記ハイドロトロープとしては、特に制限はなく、目的に応じて適宜選択することができ、例えば、プロピレングリコールを用いることができる。
【００３０】
前記液晶パネル用水系洗浄剤組成物の使用にあたっては、前記組成からなる原液を用いるのが好ましいが、液安定性を損なわない程度に水で希釈して用いることができる。
前記希釈に使用する水としては、イオン交換水、蒸留水などを使用することができる。
【００３１】
（液晶パネル用水系洗浄剤組成物の洗浄方法）
前記液晶パネル用水系洗浄剤組成物を用いた液晶パネルの洗浄方法としては、特に制限はなく、目的に応じて適宜選択することができ、例えば、浸漬洗浄、噴流洗浄、超音波洗浄などが挙げられる。
また、前記液晶パネル用水系洗浄剤組成物は、液晶パネル製造工程において、液晶セルに液晶材料を注入した際に、空隙部に侵入した液晶残渣を洗浄するのに好適に用いることができる。
特に、２枚の対向するガラス板で形成されるギャップ幅が狭小（例えば、３μｍ）であるＳＴＮ液晶パネルの洗浄に好適に用いることができる。
本発明の液晶パネル用水系洗浄剤組成物では、汚れ（余分な液晶材料）への浸透力が向上したことにより、ギャップ幅が狭小（例えば、３μｍ）であるＳＴＮ液晶パネルに対する洗浄性が向上したものと推測される。
【実施例】
【００３２】
以下、本発明の実施例について説明するが、本発明の思想は、これらの実施例に限定されるものではない。
【００３３】
（製造方法） 
下記表１に示す各成分を、下記表２に示す組成に従って添加し、実施例１〜５、及び比較例１〜７に係る液晶パネル用水系洗浄剤組成物を調製した（全量１００質量％）。
下記表２中の配合量は純分換算量を示す。また、Ｂ成分の下記表１におけるリカサーフＧ−６００は、主成分としてのジオクチルスルホコハク酸アンモニウム塩と、プロピレングリコールと、水との混合物であり、該混合物中の各含有量は、６０質量％、２５質量％、１５質量％とした。
なお、下記表１におけるＢ成分は、前記リカサーフＧ−６００の主成分であるジオクチルスルホコハク酸アンモニウム塩を示している。また、下記表２において、Ｂ成分の含有量は、液晶パネル水系洗浄剤組成物におけるジオクチルスルホコハク酸アンモニウム塩の含有量を示し、Ｆ成分には、前記リカサーフＧ−６００中の水を含み、その他の成分（Ｇ）には、前記リカサーフＧ−６００中のプロピレングリコール乃至別添のプロピレングリコールを含んでいる。
また、各成分の配合順序は任意でよいが、水以外の成分を少量ずつ添加しながら均一透明液体組成物となるように攪拌を伴って調製することが好ましい。
【００３４】
【表１】
2010059328.tif 000004
【００３５】
【表２】
2010059328.tif 000005
【００３６】
＜評価方法＞
前記実施例１〜５及び前記比較例１〜７について、下記（１）〜（３）の評価を行った。それぞれの結果は、上掲の表２に示す通りである。
【００３７】
（１）液安定性：所定量配合後、０℃〜４０℃の範囲で配合を行い、一度、均一透明な液とした後に、冬場を想定して低温（５℃）で１週間保管し、液状態を確認する。
評価：◎及び○が合格範囲である
◎；均一透明を維持
○；微濁で均一の液体を維持
△；白濁して一部分離する
×；二層分離する
【００３８】
（２）洗浄性：薄型液晶パネル（ギャップ幅：３μｍ）を用意し、ＳＴＮ系液晶をギャップ内に充填し、試験パネルとする。
これら試験パネルを４５℃に加温した各洗浄剤組成物に３分間浸漬し、洗浄を行う。
次いで４５℃に加温した水に１０分間浸漬し、リンスを行う。
リンスを行った試験パネルを１００℃の乾燥機で１０分間乾燥し、空隙部の液晶残りをシステム金属顕微鏡（ケイエスオリンパス社製（型番：ＢＸ６０−３３ＭＵＳＰ））で確認する。
評価：  ◎及び○が合格範囲である
◎；液晶汚れが完全に除去できる  （液晶汚れの洗浄率１００％）
○；液晶汚れがほぼ除去できる  （液晶汚れの洗浄率９０％以上）
△；液晶汚れの残り少し見られる  （液晶汚れの洗浄率５０〜９０％）
×；液晶汚れの残りが多く見られる  （液晶汚れの洗浄率５０％未満）
【００３９】
（３）エマルションタイプの判定
Ｏ／ＷエマルションとＷ／Ｏエマルションの判別について、次のように同定した。
Ｏ／Ｗエマルション：１０ｃｃの純水中に液晶パネル用水系洗浄剤組成物をスポイトで１滴滴下したときに、均一透明のまま可溶化する。
Ｗ／Ｏエマルション：１０ｃｃの純水中に液晶パネル用水系洗浄剤組成物をスポイトで１滴滴下したときに、洗浄剤が転相して白濁分離する。
なお、表２中の＊印に関し、「−」の記号は、エマルションを形成しなかったことを示す。
【００４０】
＜評価＞
実施例１〜５では、すべてＯ／Ｗエマルションを形成し、また、液安定性がすべて◎であり、洗浄性もギャップ幅３μｍ及び５μｍとで、すべて○以上であり、比較例１〜７よりも良好な結果を示している。
特に、実施例１と、実施例１のＣ−１成分（直鎖ＡＢＳ−ＤＥＡ塩）を、Ｃ−３成分（比較品：アルキル硫酸トリエタノールアミン塩（ＡＳ−ＴＥＡ））に代えた比較例１とを比較すると、実施例１の方が液安定性と洗浄性（ギャップ幅３μｍ及び５μｍ）のそれぞれについて良好な結果が得られている。
また、Ｂ成分を用いない比較例２では、Ｏ／Ｗエマルションを形成せず、液安定性と洗浄性（ギャップ幅３μｍ及び５μｍ）について、実施例１〜５よりも、劣った結果となっている。
また、Ｃ成分を用いない比較例３では、液安定性とギャップ幅３μｍの洗浄性について、実施例１〜５よりも、劣った結果となっている。
また、Ｄ成分を用いない比較例４では、洗浄性（ギャップ幅３μｍ及び５μｍ）について、実施例１〜５よりも、劣った結果となっている。
また、実施例１と、実施例１のＥ−１成分（２−エチルヘキシルジグリコール）及びＥ−２成分（ヘキシルジグリコール）を、Ｅ−３成分（比較品：２−エチルへキシルオクタグリコール）に代えた比較例５を比較すると、実施例１の方が液安定性と洗浄性（ギャップ幅３μｍ及び５μｍ）のそれぞれについて良好な結果が得られている。また、Ｅ成分を用いない比較例６では、Ｏ／Ｗエマルションを形成せず、液安定性と洗浄性（ギャップ幅３μｍ及び５μｍ）について、実施例１〜５よりも、劣った結果となっている。
また、本発明のＡ成分の含有量の範囲から外れた組成比からなり、また、Ｄ成分を用いない比較例７では、実施例１、３〜５に比べて、洗浄性（ギャップ幅３μｍ及び５μｍ）が劣っており、実施例２に比べて、ギャップ幅３μｍの洗浄性について劣っている。
【産業上の利用可能性】
【００４１】
本発明は、Ｏ／Ｗエマルションからなり、洗浄性が高く、液安定性にも優れるので、ギャップ幅が狭い（例えば、３μｍの）液晶パネルを洗浄する液晶パネル用水系洗浄剤組成物として好適に利用することができる。
【図面の簡単な説明】
【００４２】
【図１】図１は、洗浄剤組成物を用いて液晶パネルを洗浄する状態を説明するための概念図である。
【符号の説明】
【００４３】
１            液晶パネル
２Ａ、２Ｂ    ガラス板
３Ａ          空隙部
３Ｂ          中空部
３Ｃ          外側部
４            シール部
５            表示部
【図１】
2010059328.tif 000007